(57)【要約】【課題】犬の首部の皮膚を傷つけたり、首部に脱毛を生じさせたりすることのない十分なクッション性を備え、且つ見栄えのよい犬に優しい犬の首輪を提供する。【解決手段】犬の首側となる帯状の内側帯体と反対側となる外側帯体を縫合して構成する。内側帯体は人造皮革からなる第１の平帯状芯材の内側に、断面が内側に凸のカマボコ形で幅は平帯状芯材に等しい帯状クッション材を重ねて貼着し、重ねた帯体外面全体に第１の牛革を貼着被覆して形成する。外側帯体は人造皮革からなる第２の平帯状芯材の外面全体に第２の牛革を貼着被覆して内側帯体と同じ幅に形成する。外側帯体に内側帯体を重ねて貼着し、両帯体の幅方向両縁の内側部分を長手方向にミシン掛けして縫合する。【選択図】図２
2014090688.tif 000002
【特許請求の範囲】
【請求項１】
犬の首輪であって、犬の首側となる帯状の内側帯体と、首とは反対側の外側帯体とを重ねて縫合したベルトで構成され、
前記内側帯体は人造皮革からなる第１の平帯状芯材の内側に、断面が内側に凸のカマボコ形で幅は前記第１の平帯状芯材に等しい帯状クッション材を重ねて貼着し、重ねた帯体外面全体に第１の牛革を突き合わせ部を外側にして貼着被覆して形成されており、
前記外側帯体は人造皮革からなる第２の平帯状芯材の外面全体に第２の牛革を突き合わせ部を内側にして貼着被覆して前記内側帯体と同じ幅に形成されており、
前記外側帯体と内側帯体を重ねて貼着し、両帯体の幅方向両縁の内側部分を長手方向にミシン掛けして縫合してあることを特徴とする犬の首輪。
【請求項２】
請求項１に記載の犬の首輪において、前記クッション材としてスポンジ又はポリウレタンの何れかを採用したことを特徴とする犬の首輪。
【発明の詳細な説明】
【技術分野】
【０００１】
本発明は、犬の首輪に関し、特には犬の首部の皮膚を傷つけたり、首部に脱毛を生じさせたりしない犬に優しく、美観にも優れた犬の首輪に関する。
【背景技術】
【０００２】
飼い犬には通常、首輪が装着される。一般的な犬の首輪は皮革や合成皮革からなるベルトで構成され、引き紐を繋ぐための環状金具が取り付けられている。引き紐を取り付けて犬を散歩に連れ出したり、引き紐他端を固定して犬の行動範囲を制限したりした場合、犬の行動により引き紐と首輪を介して犬の首に強い力が加わることがある。首輪が硬い皮革や合成皮革で製作されていると、この強い力により犬に苦痛を与えるだけでなく首部の皮膚を傷つけたり首部に脱毛を生じさせたりする。
【０００３】
こうした問題を解決するため、首輪の内周面に柔軟性を備えた帯体を取着した構成の犬の首輪が提案されている。例えば、特許文献１には、合成繊維性編成テープからなる首輪本体の内周面に、カーボンブラックを含む発泡合成ゴム板の上面に合成繊維布を重ねてなる複層パッドを、合成繊維布が外側になるように折り返して重合状に取着した犬の首輪が開示されている。しかし、発泡合成ゴム板の上面に合成繊維布を重ねた複層パッドでは十分なクッション性を得ることは困難であり、犬の首を十分に保護することはできない。
【０００４】
また、特許文献２には、合成繊維紐で織成した細長い袋状外被体内に多数の直状繊維紐条を挿入して全体を扁平状にし、長手方向にミシン掛けして少なくとも２条の縫い目で縫合してクッション性のベルト本体を構成し、該ベルト本体上に平ベルトを重層状に縫合した犬の首輪が開示されている。しかし、合成繊維紐で織成した細長い袋状外被体内に多数の直状繊維紐条を挿入して全体を扁平状にして長手方向にミシン掛けしたベルトでは十分なクッション性は確保できず、更に長手方向に少なくとも２条の縫い目を入れて縫合しているためクッション性が更に低下する問題がある。
【先行技術文献】
【特許文献】
【０００５】
【特許文献１】実用新案登録第３０７９１８３号公報
【特許文献２】実用新案登録第３０６２７４６号公報
【発明の概要】
【発明が解決しようとする課題】
【０００６】
本発明は、従来技術のこうした問題点を解決するためになされたもので、その課題は犬の首部の皮膚を傷つけたり、首部に脱毛を生じさせたりすることのないような十分なクッション性を備え、且つ見栄えのよい犬に優しい犬の首輪を提供することにある。
【課題を解決するための手段】
【０００７】
前記課題を解決するための請求項１に記載の発明は、犬の首輪であって、犬の首側となる帯状の内側帯体と、首とは反対側の外側帯体とを重ねて縫合したベルトで構成され、内側帯体は人造皮革からなる第１の平帯状芯材の内側に、断面が内側に凸のカマボコ形で幅は第１の平帯状芯材に等しい帯状クッション材を重ねて貼着し、重ねた帯体外面全体に第１の牛革を突き合わせ部を外側にして貼着被覆して形成されており、外側帯体は人造皮革からなる第２の平帯状芯材の外面全体に第２の牛革を突き合わせ部を内側にして貼着被覆して内側帯体と同じ幅に形成されており、外側帯体と内側帯体を重ねて貼着し、両帯体の幅方向両縁の内側部分を長手方向にミシン掛けして縫合してあることを特徴とする犬の首輪である。
【０００８】
牛革で帯の外面を覆うと突き合わせ部が外面に現れて美観を損ねる。本発明の犬の首輪では、首輪本体部を第１の牛革で覆った内側帯体と第２の牛革で覆った外側帯体を重ねて縫合し、両牛革の各突き合わせ部は重ね面に位置させているため突き合わせ部が外面に現れない。このため牛革の高級感と併せて見栄えのよい首輪を実現できる。
また、内側帯体内の帯状クッション材は第１の平帯状芯材に貼りつけ、全体が第１の牛革により被覆されているため型崩れを起こしにくい構成になっている。このため帯状クッション材として強度が弱く型崩れし易いがクッション性に優れた天然スポンジを採用することができる。クッション性に優れたスポンジの採用、帯状クッション材が犬の首側に凸のカマボコ形にしてあること、全体が薄くて柔らかい第１の牛革で覆ってあることから犬には極めて優しい首輪になっている。このため連結金具を介して外側帯体に強い力が働いたとしても、首部の皮膚が傷ついたり首部に脱毛が生じたりする危険性が大幅に低減される。
【０００９】
また、請求項２に記載の発明は、請求項１に記載の犬の首輪において、クッション材としてスポンジ又はポリウレタンの何れかを採用したことを特徴とする犬の首輪である。
【００１０】
このようなクッション性に富んだ材料を使用すれば犬に優しい首輪を実現できる。
【図面の簡単な説明】
【００１１】
【図１】本発明に係る犬の首輪の外観図である。
【図２】首輪本体部の断面図である。
【発明を実施するための形態】
【００１２】
以下、本発明に係る犬の首輪の一実施形態について図面を参照して説明する。図１はその犬の首輪１の外観図、図２は首輪本体部２の断面図である。首輪本体部２の断面構造以外は一般の首輪と同じ構造にしてある。即ち、首輪本体部２の一端には掛止金具４を取り付け、他端側には掛止金具４を掛け止めするための複数の掛止穴５が穿設してある。掛止金具４の近くには、引き紐の連結金具を掛け止めする連結金具６が取り付けてある。
【００１３】
図２に示すように本発明の犬の首輪１の首輪本体部２は、犬の首側となる帯状の内側帯体８と、首側に対して反対側となる外側帯体９とを重ねて縫合しベルト状に形成してある。内側帯体９は、人造皮革からなる第１の平帯状芯材１０ａの内側（犬の首側）に帯状クッション材１１を接着剤で貼り合わせ、貼り合わせた帯体外面全体を第１の牛革１２ａで被覆してある。
【００１４】
帯状クッション材１１は、断面を犬の首側（内側）に凸となるカマボコ形に形成し、帯幅は第１の平帯状芯材１０ａに等しくしてある。第１の牛革１２ａは、牛革の突き合わせ部１３ａが第１の平帯状芯材１０ａの外側（首とは反対側）になるようにして帯体外面に接着剤で貼り付けてある。第１の平帯状芯材１０ａに使用する人造皮革には合成皮革と人工皮革があるが、本発明に使用する人造皮革としては軽量な人工皮革が好ましい。帯状クッション材１１には軽量で弾性に富む天然のスポンジ又は軽量な人造スポンジを使用する。第１の牛革１２ａとしては、薄くて柔らかい天然皮革が好ましいが薄くて柔軟性に富む人造皮革でもよい。
【００１５】
外側帯体９は、人造皮革からなる第２の平帯状芯材１０ｂの外面全体に第２の牛革１２ｂを被覆して形成してある。第２の牛革１２ｂは、牛革の突き合わせ部１３ｂが第２の平帯状芯材１０ｂの内側（犬の首側）になるようにして帯体外面に接着剤で貼り付けてある。外側帯体９の帯幅は内側帯体８と同じにしてある。外側帯体９に使用する第２の平帯状芯材１０ｂには軽量で強度のある人造皮革を使用する。第２の牛革１２ｂも薄い天然皮革が好ましいが、薄くて柔軟性に富む人造皮革でもよい。
【００１６】
帯状クッション材１１と外側帯体９とは突き合わせ部１３ａ、１３ｂが向き合うようにして重ね合わせ、向き合う面同士を接着剤で貼り付けてある。貼り合わせた後、両帯体の幅方向両縁の内側部分を長手方向にミシン掛けで縫合して首輪本体部２としている。図２中の符号１５で示す線は縫い目の位置を示している。
【００１７】
以上説明したように、本発明の犬の首輪１は帯状の内側帯体８と外側帯体９とを重ね、縫合して構成してある。牛革で帯の外面を覆う場合、どうしても牛革の突き合わせ部が外面に現れる。突き合わせ部が目につく外面に現れると美観を損ねて好ましくない。本発明の犬の首輪１では、首輪本体部２を第１の牛革１２ａで覆った牛革内側帯体８と第２の牛革１２ｂで覆った外側帯体９とを重ねて縫合する構成とし、両牛革の突き合わせ部が重ね面に位置するようにして完成後の犬の首輪１の外面に突き合わせ部が現れないようにしている。このため、牛革の高級感と併せて見栄えのよい首輪を実現できる。
【００１８】
また、外側帯体９は引き紐からの強い力を連結金具６を介して受ける部分であるため、それに耐える強い強度が要求される。本発明の外側帯体９は、第２の平帯状芯材１０ｂを第２の牛革１２ｂで覆う構成としている。このため、第２の平帯状芯材１０ｂとしては、見栄えを気にすることなく強度のある材料を選択できる。そして、その外面を高級感のある薄くて柔らかい牛革で被覆することで見栄えのよい首輪とすることができる。
【００１９】
また、本発明の犬の首輪１では、内側帯体８内に帯状クッション材１１が挿入してある。帯状クッション材１１は第１の平帯状芯材１０ａに貼りつけ、全体を第１の牛革１２ａで被覆してあり型崩れを起こしにくい。このため帯状クッション材１１として、強度が弱くて型崩れを起こし易いがクッション性に優れた天然スポンジを採用することができる。クッション性に優れたスポンジの採用、帯状クッション材１１が犬の首側に凸のカマボコ形にしてあること、全体が薄くて柔らかい第１の牛革１２ａで覆ってあることから犬には極めて優しい首輪になっている。このため、連結金具６を介して首輪本体部２の外側帯体９に強い力が働いたとしても首部の皮膚を傷つけたり、首部に脱毛を生じさせたりする危険性は大幅に低減される。
【符号の説明】
【００２０】
図面中、１は犬の首輪、２は首輪本体部、８は内側帯体、９は外側帯体、１０ａは第１の平帯状芯材、１０ｂは第２の平帯状芯材、１１は帯状クッション材、１２ａは第１の牛革、１２ｂは第２の牛革ａ、１３ａ、１３ｂは突き合わせ部、１５は縫い目位置を示す。
【図１】
2014090688.tif 000003
【図２】
2014090688.tif 000004